(57)【要約】本発明は、蓄冷若しくは蓄温のいずれか一方又は両方を行う蓄熱材を備えた車両用空調装置に関し、車室内の温度調整を優先したいときは温度調整を阻害しないとともに、蓄冷又は蓄温した熱を放冷又は放熱するときには、確実に放冷又は放熱できる構成を提供することを目的とする。本発明に係る車両用空調装置１００は、送風空気の通気流路に、ブロワ１と熱交換器３，４とを備えた車両用空調装置において、通気流路は、熱交換器の下流で第１通気流路６ｅと第２通気流路６ｆ，６ｇとに分岐し、第１通気流路と第２通気流路とを切り換えることが可能な可変ガイド４１，４２を備え、第２通気流路は、蓄熱材１１，１２を備え、蓄熱材を配置した下流にて第１通気流路と第２通気流路とが合流するよう構成したことを特徴とする。
2011142224.tif 000002
【特許請求の範囲】
【請求項１】
送風空気の通気流路に、ブロワと熱交換器とを備えた車両用空調装置において、
前記通気流路は、前記熱交換器の下流で第１通気流路と第２通気流路とに分岐し、前記第１通気流路と前記第２通気流路とを切り換えることが可能な可変ガイドを備え、
前記第２通気流路は、蓄熱材を備え、
該蓄熱材を配置した下流にて前記第１通気流路と前記第２通気流路とが合流するよう構成したことを特徴とする車両用空調装置。
【請求項２】
アイドリングストップ車又はハイブリッド車の車両用空調装置であることを特徴とする請求項１に記載の車両用空調装置。
【請求項３】
さらに、前記可変ガイドの位置を制御する制御手段を備え、該制御手段は、前記ブロワの稼動又は停止の情報と、前記熱交換器への熱媒体を循環させる補機の稼動又は停止の情報と、に基づいて前記可変ガイドを制御することを特徴とする請求項１又は２に記載の車両用空調装置。
【請求項４】
前記制御手段は、車室内の空調を優先するときは、前記可変ガイドへ前記第１通気流路を開、前記第２通気流路を閉とする信号を出力することを特徴とする請求項３に記載の車両用空調装置。
【請求項５】
前記制御手段は、前記ブロワが稼動状態であるとの情報及び前記補機が停止状態であるとの情報が入力されたときは、前記可変ガイドへ前記第１通気流路を閉、前記第２通気流路を開とする信号を出力することを特徴とする請求項３又は４に記載の車両用空調装置。
【請求項６】
前記制御手段は、蓄冷又は蓄温するときは、前記可変ガイドへ前記第１通気流路を開、前記第２通気流路を開とする信号を出力することを特徴とする請求項３〜５のいずれか一つに記載の車両用空調装置。
【請求項７】
前記熱交換器をエバポレータとし、前記蓄熱材を蓄冷材とし、前記補機をコンプレッサとする冷房用装置であることを特徴とする請求項３〜６のいずれか一つに記載の車両用空調装置。
【請求項８】
前記熱交換器をヒーターコアとし、前記蓄熱材を蓄温材とし、前記補機をウォーターポンプとする暖房用装置であることを特徴とする請求項３〜６のいずれか一つに記載の車両用空調装置。
【請求項９】
前記蓄熱材は、着脱可能に配置されていることを特徴とする請求項１〜８のいずれか一つに記載の車両用空調装置。
【発明の詳細な説明】
【技術分野】
【０００１】
本発明は、蓄熱材を備えた車両用空調装置に関する。
【背景技術】
【０００２】
従来、低熱源又は省動力の車両に搭載する空調装置に蓄冷材又は蓄温材（以下、総じて、蓄熱材と称すこともある。）を設け、内燃機関（以下、エンジンと称すこともある。）が停止した時でも一定時間の冷房又は暖房を行い、乗員の快適性を損なわない工夫が行われている（例えば、特許文献１、２又は３を参照。）。【０００３】
特許文献１は、空調装置のユニットの内部やダクトの途中の送風空気の流れ方向が曲げられる部位に蓄熱ブロックを配置し、近傍にドアを配置して制御することで、蓄熱ブロックに蓄熱を促進する又は放熱を促進する技術を開示したものである。通気性を備えた蓄熱ブロックを利用することで、それまでよりも大容量の熱を貯留することができ、配管や熱交換器などの設置の必要も無いので、安価に省スペースでの蓄熱又は蓄冷を行うことができるとしている。【０００４】
特許文献２には、冷房用熱交換器の下流に蓄冷器を設け、前記冷房用熱交換器を通過した冷風により蓄冷器を冷却させ、蓄冷器に蓄えられた冷熱を放出して冷房に利用する技術が開示されている。【０００５】
特許文献３には、冷房装置に加えて、蓄冷器を備え、蓄冷器に蓄えられた冷熱を放出して冷房に利用する技術が開示されている。
【先行技術文献】
【特許文献】
【０００６】
【特許文献１】特開２００８−２６５７００号公報
【特許文献２】特開２００２−３３７５３７号公報
【特許文献３】特開平０６−２１１０２９号公報
【発明の概要】
【発明が解決しようとする課題】
【０００７】
しかし、特許文献１に記載された構成では、例えば、車室内を最大能力で暖房しようとした場合でも、温風が蓄熱ブロックに接触してしまうので、熱の一部が蓄熱ブロックに貯留されることになり、早期暖房が阻害されるおそれがある。また、蓄熱ブロックに送風空気が接触するために、騒音が発生するおそれもある。そして、蓄熱ブロックから熱を放出したい場合でも、ユニット内の風が蓄熱ブロックとユニット内との両方を通過するよう構成されているので、通気抵抗の高い蓄熱ブロックに風が通りにくく、所望する放熱性能が得られないおそれがある。【０００８】
特許文献２に記載された構成では、フルクール時にも蓄冷されるため、冷房能力が阻害される。【０００９】
特許文献３に記載された構成では、冷房装置の外部に蓄冷器を設けたため、配管など装置が複雑になる。また、装置が高価になり、一般車に適用することが困難である。【００１０】
本発明は、蓄冷若しくは蓄温のいずれか一方又は両方を行う蓄熱材を備えた車両用空調装置に関し、車室内の温度調整を優先したいときは温度調整を阻害しないとともに、蓄冷又は蓄温した熱を放冷又は放熱するときには、確実に放冷又は放熱できる構成を提供することを目的とする。
【課題を解決するための手段】
【００１１】
上記目的を達成するために、本願発明に係る車両用空調装置は、送風空気の通気流路に、ブロワと熱交換器とを備えた車両用空調装置において、前記通気流路は、前記熱交換器の下流で第１通気流路と第２通気流路とに分岐し、前記第１通気流路と前記第２通気流路とを切り換えることが可能な可変ガイドを備え、前記第２通気流路は、蓄熱材を備え、該蓄熱材を配置した下流にて前記第１通気流路と前記第２通気流路とが合流するよう構成したことを特徴とする。【００１２】
本願発明に係る車両用空調装置は、アイドリングストップ車又はハイブリッド車の車両用空調装置であることが好ましい。アイドリングストップ車の車両用空調装置として使用する場合には、アイドリングストップ時においても車室内の快適性を維持することができる。ハイブリッド車の車両用空調装置として使用する場合には、停車してエンジンが停止した時でも、電力でコンプレッサ、ウォーターポンプなどの熱交換器へ熱媒体を循環させる補機を稼動する必要がなく、車室内の快適性を維持することができる。【００１３】
本願発明に係る車両用空調装置では、さらに、前記可変ガイドの位置を制御する制御手段を備え、該制御手段は前記ブロワの稼動又は停止の情報と、前記熱交換器への熱媒体を循環させる補機の稼動又は停止の情報と、に基づいて前記可変ガイドを制御することが好ましい。蓄熱材に蓄熱された熱を放熱すべきか、判断することができる。【００１４】
本願発明に係る車両用空調装置では、前記制御手段は、車室内の空調を優先するときは、前記可変ガイドへ前記第１通気流路を開、前記第２通気流路を閉とする信号を出力することが好ましい。熱交換器で得た冷風又は温風が、蓄冷材又は蓄温材を通過しないため、効率的に温度調整をすることができる。また、低騒音とすることができる。【００１５】
本願発明に係る車両用空調装置では、前記制御手段は、前記ブロワが稼動状態であるとの情報及び前記補機が停止状態であるとの情報が入力されたときは、前記可変ガイドへ前記第１通気流路を閉、前記第２通気流路を開とする信号を出力することが好ましい。前記補機が停止し、熱交換器への熱媒体の供給が停止しても、蓄熱材に蓄熱された熱を有効に利用して車室内の快適性を維持することができる。また、送風量が少ないときでも、蓄熱材に確実に送風することができるため、より効率的に蓄熱材に蓄熱された熱を利用することができる。【００１６】
本願発明に係る車両用空調装置では、前記制御手段は、蓄冷又は蓄温するときは、前記可変ガイドへ前記第１通気流路を開、前記第２通気流路を開とする信号を出力することが好ましい。通気流路を、蓄熱材を通過する流路と蓄熱材を通過しない流路との両方とすることで、蓄熱と温度調整とを同時に行うことができ、空調効率を向上させることができる。【００１７】
本願発明に係る車両用空調装置は、前記熱交換器をエバポレータとし、前記蓄熱材を蓄冷材とし、前記補機をコンプレッサとする冷房用装置である形態を含む。【００１８】
本願発明に係る車両用空調装置は、前記熱交換器をヒーターコアとし、前記蓄熱材を蓄温材とし、前記補機をウォーターポンプとする暖房用装置である形態を含む。【００１９】
本願発明に係る車両用空調装置では、前記蓄熱材は、着脱可能に配置されていることが好ましい。地域の気候に応じて、蓄冷材若しくは蓄温材のいずれか一方又は両方を適宜配置したり、様々な車種に転用したり、設計対応力が高くなる。また、大量生産が可能となる。さらに、メンテナンスがしやすくなる。【００２０】
なお、上記構成は、可能な限り組み合わせることができる。
【発明の効果】
【００２１】
本発明は、蓄冷若しくは蓄温のいずれか一方又は両方を行う蓄熱材を備えた車両用空調装置に関し、車室内の温度調整を優先したいときは温度調整を阻害しないとともに、蓄冷又は蓄温した熱を放冷又は放熱するときには、確実に放冷又は放熱できる構成を提供することができる。
【図面の簡単な説明】
【００２２】
【図１】本実施形態に係る車両用空調装置の一例の構造概要を説明するための概略断面図である。
【図２】車両用空調装置の構造を説明するための概略断面図であり、冷房時に車室内の空調を優先する場合の形態である。
【図３】車両用空調装置の構造を説明するための概略断面図であり、冷房時に蓄冷材に蓄冷した熱を放冷する場合の形態である。
【図４】車両用空調装置の構造を説明するための概略断面図であり、冷房時に蓄冷材に蓄冷する場合の形態である。
【図５】車両用空調装置の構造を説明するための概略断面図であり、暖房時に車室内の空調を優先する場合の形態である。
【図６】車両用空調装置の構造を説明するための概略断面図であり、暖房時に蓄温材に蓄温した熱を放熱する場合の形態である。
【図７】車両用空調装置の構造を説明するための概略断面図であり、暖房時に蓄温材に蓄温する場合の形態である。
【図８】ロータリドア型の可変ガイドを説明するための図であり、（ａ）は構成物品ごとの分解図を示し、（ｂ）は組み立てた状態を示す図を示す。
【図９】ロータリドア型の可変ガイドの構造を説明するための図であり、（ａ）は車室内の空調を優先する場合の開閉状態、（ｂ）は蓄熱材に蓄熱した熱を放熱する場合の開閉状態、（ｃ）は蓄熱材に蓄熱する場合の開閉状態である。
【図１０】車両用空調装置の制御法の一例を示したフローチャートである。
【発明を実施するための形態】
【００２３】
以下、添付の図面を参照して本発明の一態様を説明する。以下に説明する実施形態は本発明の実施例であり、本発明は、以下の実施形態に制限されるものではない。なお、本明細書及び図面において符号が同じ構成要素は、相互に同一のものを示すものとする。本発明の効果を奏する限り、種々の形態変更をしてもよい。
【００２４】
図１は、本実施形態に係る車両用空調装置の一例の構造概要を説明するための概略断面図である。本実施形態に係る車両用空調装置１００は、送風空気の通気流路６ａ，６ｂ，６ｃ，６ｄ，６ｅに、ブロワ１と熱交換器３，４とを備えた車両用空調装置１００において、通気流路６ａ，６ｂは、熱交換器３，４の下流６ｃ，６ｄで第１通気流路６ｅと第２通気流路６ｆ，６ｇとに分岐し、第１通気流路６ｅと第２通気流路６ｆ，６ｇとを切り換えることが可能な可変ガイド４１，４２を備え、第２通気流路６ｆ，６ｇは、蓄熱材１１，１２を備え、蓄熱材１１，１２を配置した下流にて第１通気流路６ｅと第２通気流路６ｆ，６ｇとが合流するよう構成する。
【００２５】
図１に示す車両用空調装置を用いて、空調装置の構造概要を説明する。車両用空調装置１００は、通気流路を形成するケース９に、ブロワ１と、フィルタ２と、熱交換器３，４とを備える。さらに、熱交換器３，４の下流に蓄熱材１１，１２を備える。
【００２６】
ブロワ１は、ファン（不図示）と、駆動用モータ（不図示）とを備える。ブロワ１は、送風空気の通気流路６ａ，６ｂ，６ｃ，６ｄ，６ｅ，６ｆに設けられ、駆動用モータ（不図示）の駆動によってファン（不図示）が回転することで、通気流路中の空気流れ２１，２２，２３，２４，２５を形成する。駆動用モータ（不図示）の回転数を変化させることによって、風量を調整することができる。本実施形態は、駆動モータの回転数を制御する方式に制限されない。また、ブロワ１の方式は、シロッコファン、ターボファンなどの遠心式、軸流式、貫流式が例示でき、本実施形態では限定されない。
【００２７】
フィルタ２は、空気を浄化する役割をもつ。フィルタ面が覆われないようにフィルタ枠を固定するフィルタ枠に、集塵フィルタと脱臭フィルタとを組み合わせて配置することが好ましい。また、フィルタ２は、ブロワ１の上流に設置してもよい。本実施形態は、フィルタの種類又は位置によって限定されない。
【００２８】
熱交換器３，４は、エバポレータ３とヒーターコア４とがある。
【００２９】
エバポレータ３は、空気流れ２２の空気を吸熱して冷却する吸熱器であり、空調の冷凍サイクルを構成する。冷凍サイクルは、少なくとも、気化状態の冷媒を圧縮して吐出するコンプレッサ（不図示）と、コンプレッサから吐出された冷媒を冷却し冷媒を凝縮するコンデンサ（不図示）と、コンデンサで凝縮した冷媒を絞り作用により気液混合体にする膨張弁（不図示）と、膨張弁で気液混合体となった冷媒の蒸発熱により空気を冷却除湿するエバポレータ３とを備える。エバポレータ３の種類及び構造は、本実施形態では限定されない。また、本実施形態は、冷凍サイクルの方式によって限定されない。
【００３０】
ヒーターコア４は、空気流れ２３の空気を加熱する加熱器である。ウォーターポンプ（不図示）によって循環されるエンジン冷却水などの暖められた液状熱媒体と冷たい空気とを熱交換する。なお、ヒーターコア４の種類及び構造は、本実施形態では限定されない。液状熱媒体の成分も本実施形態では限定されない。
【００３１】
蓄熱材は、蓄冷材１１と蓄温材１２とを包含する。ここで、蓄熱とは、暖かい熱を蓄えることのみならず、冷たい熱を蓄えることも含む。すなわち、本実施形態に係る車両用空調装置１００は、蓄温材１２に暖かい熱を蓄えて車室内暖房に用いる形態と蓄冷材１１に冷たい熱を蓄えて車室内冷房に用いる形態との双方を包含する。蓄熱材、すなわち蓄冷材１１及び蓄温材１２の種類は、相変化に伴う熱を利用した潜熱蓄熱材、化学反応熱を利用した化学蓄熱材、比熱を利用した顕熱蓄熱材を例示することができる。本実施形態では、蓄熱材の種類は、特に限定されず、所望の蓄熱温度、蓄熱密度などの使用条件に応じて適宜選択することができる。潜熱蓄熱材は、例えば、パラフィン類、塩化カルシウム水和物、硫酸ナトリウム水和物、チオ硫酸ナトリウム水和物、酢酸ナトリウム水和物が挙げられる。化学蓄熱材は、可逆的な化学反応を利用したものであることが好ましい。例えば、酸化カルシウム及び水酸化カルシウムの水和・脱水反応が挙げられる。これは、酸化カルシウムが水和して水酸化カルシウムとなる時の水和発熱反応と水酸化カルシウムが脱水して酸化カルシウムになる時の脱水吸熱反応との可逆反応を利用したものである。顕熱蓄熱材は、例えば、水、煉瓦が挙げられる。
【００３２】
本実施形態に係る車両用空調装置１００では、蓄熱材１１，１２は、着脱可能に配置されていることが好ましい。蓄熱材１１，１２の形態及び車両用空調装置への取り付け形態は、着脱可能であれば特に限定されない。蓄熱材１１，１２の形態は、例えば、蓄熱材料を容器に充填する形態、蓄熱材料を多孔質物質に含浸させる形態、蓄熱材料をブロック状に固める形態が例示できる。また、車両用空調装置１００のケース９には、蓄熱材１１，１２を着脱するための開口部（不図示）を設けることが好ましい。このように、蓄熱材１１，１２を着脱可能に配置することで、温暖な気候の地域で使用する場合には、蓄冷材だけを配置したり、寒冷な気候の地域で使用する場合には、蓄温材だけを配置したり、日本のように温暖な気候と寒冷な気候とを有する地域で使用する場合には、蓄冷材と蓄温材との両方を配置したりすることができ、設計対応力が高くなる。また、様々な車種への転用が可能となり、蓄熱材を大量生産することができ、コストダウンを図ることができる。さらに、定期交換などメンテナンスが容易になる。
【００３３】
図１の車両用空調装置１００では、熱交換器としてエバポレータ３とヒーターコア４とを備えているが、本実施形態では、熱交換器としてエバポレータ３又はヒーターコア４のいずれか一方を備えていればよい。
【００３４】
図１を用いて、車両用空調装置１００の動作の概要を説明する。
【００３５】
ブロワ１は、車外から外気を取り入れるために車外に設置された外気吸気口（不図示）と車室内の空気を循環させるために車室内に設置された内気循環用吸入口（不図示）とを切り換えるドアであるインクテークドア（不図示）の切り換えによって、内気、外気又は内外気混合空気を通気流路６ａ内に取り込まれた空気流れ２１を吸気した後、下流へ吐出して空気流れ２２を形成する。
【００３６】
ブロワ１から吐出された空気流れ２２は、フィルタ２及びエバポレータ３を通過し、浄化及び冷却除湿された空気流れ２３となり、ミックスドア４０の切り換えによって、ヒーターコア４を通過しない空気流れ２４とヒーターコア４を通過する空気流れ２５とに分けられる。ヒーターコア４を通過しない空気流れ２４は、冷風であり、ヒーターコア４を通過する空気流れ２５は温風である。ミックスドア４０の開閉角度によってヒーターコア４を通過しない空気流れ２４とヒーターコア４を通過する空気流れ２５との空気量を調整し、後に混合させることで空気の温度を調整することができる。
【００３７】
ヒーターコア４を通過しない空気流れ２４は、エバポレータ３の下流６ｃで、第１通気流路６ｅと蓄冷材１１が配置された第２通気流路６ｆとに分岐し、蓄冷材１１の下流にて合流する。一方ヒーターコア４を通過する空気流れ２５は、ヒーターコア４の下流６ｄで、第１通気流路６ｅと蓄温材１２が配置された第２通気流路６ｇとに分岐し、蓄温材１２の下流にて合流する。第１通気流路６ｅ第２通気流路６ｆ，６ｇとの切り換えは、可変ガイド４１，４２の開閉によって行われる。可変ガイド４１，４２の種類は、本実施形態では限定されず、例えば、板ドア型、フィルムドア型、ロータリドア型、スライドドア型である。可変ガイド４１，４２は、サーボモータなどの可変ガイド駆動装置（不図示）によって駆動される。
【００３８】
合流した空気流れ２４，２５は、デフロスタ（不図示）に通じる通気流路８０１、ベント（不図示）及びサイドベンド（不図示）に通じる通気流路８０２又はフット（不図示）に通じる通気流路８０３に送られ、車室内へ送風される。いずれの通気流路８０１，８０２，８０３に空気を送るか否かの切り換えは、例えば、モードドア４３，４４，４５の開閉で行うことができる。なお、いずれの通気流路８０１，８０２，８０３に空気を送るか否かの選択は、乗員の要求、車室内の温度分布など各条件に応じて適宜選択可能である。
【００３９】
次に、図２、図３及び図４を用いて、冷房用装置として使用するときの本実施形態に係る車両用空調装置の動作について、更に具体的に説明する。
【００４０】
図２は、車両用空調装置の構造を説明するための概略断面図であり、冷房時に車室内の空調を優先する場合の形態である。ここで、本実施形態に係る車両用空調装置１００では、冷房用装置として用いる場合は、熱交換器はエバポレータ３であり、蓄熱材は冷たい熱を蓄える蓄冷材１１である。
【００４１】
車室内の空調を優先するときは、可変ガイド４１を、第１通気流路６ｅを開、第２通気流路６ｆを閉となる位置に移動する。車室内の空調を優先するときは、例えば、車室内が暑い時、乗員が早期冷房を要求しているフルクール時である。エバポレータ３を通過した空気流れ２４は、第１通気流路６ｅだけを通過する。その後、例えば、ベント又はサイドベント（不図示）へ通じる通気流路８０２へ送られ、車室内のベント（不図示）又はサイドベント（不図示）から送風される。送風空気が蓄冷材１１を通過すると、エバポレータ３で得た冷却された空気の熱が、蓄冷材１１に貯留され、早期冷房が阻害されるところ、送風空気が、蓄冷材１１が配置されていない第１通気流路６ｅだけを通過することで、効率的に早期冷房をすることができる。また、低騒音とすることができる。
【００４２】
図３は、車両用空調装置の構造を説明するための概略断面図であり、冷房時に蓄冷材に蓄冷した熱を放冷する場合の形態である。蓄冷材１１の熱を放冷するときは、可変ガイド４１を、第１通気流路６ｅを閉、第２通気流路６ｆを開となる位置に移動する。蓄冷材１１の熱の放冷が必要なときは、例えば、コンプレッサ（不図示）が停止してエバポレータ３へ冷媒が循環せず、車室内の空調が快適性を維持できない場合である。エバポレータ３を通過した空気流れ２４は、蓄冷材１１が配置された第２通気流路６ｆだけを通過する。蓄冷材１１を通過した空気流れ２４ａは、例えば、ベント又はサイドベント（不図示）へ通じる通気流路８０２へ送られ、車室内のベント（不図示）又はサイドベント（不図示）から送風される。コンプレッサ（不図示）が停止してエバポレータ３へ冷媒が循環しなくても、蓄冷材１１の熱を放冷させることによって、車室内へ吹き出される空調空気の温度が上昇するのを防止し、快適な状態に維持することができる。また、送風空気を蓄冷材１１が配置された第２通気流路６ｆだけを通過させることで、送風量が少ないときでも、蓄冷材１１に確実に送風することができるため、より効率的に蓄冷材１１に蓄冷された冷たい熱を利用することができる。
【００４３】
図４は、車両用空調装置の構造を説明するための概略断面図であり、冷房時に蓄冷材に蓄冷する場合の形態である。蓄冷材１１へ蓄冷するときは、可変ガイド４１を、第１通気流路６ｅを開、第２通気流路６ｆを開となる位置に移動する。蓄冷材１１へ蓄冷が可能なときは、例えば、乗員が早期の冷房を要求していない時であって、車室内の温度と空調の目標吹出温度とが近く、冷房能力に余力があるときである。エバポレータ３を通過した空気流れ２４は、蓄冷材１１が配置されていない第１通気流路６ｅと蓄冷材１１が配置された第２通気流路６ｆとの両方を通過する。蓄冷材１１を通過した空気流れ２４ａは、蓄冷材１１の下流で、第１通気流路６ｅを通過した空気流れ２４と合流する。その後、例えば、ベント又はサイドベント（不図示）へ通じる通気流路８０２へ送られ、車室内のベント（不図示）又はサイドベント（不図示）から送風される。送風空気を、蓄冷材１１を通過しない第１通気流路６ｅと蓄冷材１１を通過する第２通気流路６ｅとの両方に通過させることで、車室内の温度調整と蓄冷材１１の蓄冷とを同時に行うことができる。
【００４４】
次に、図５、図６及び図７を用いて、暖房用装置として使用するときの動作について具体的に説明する。
【００４５】
図５は、車両用空調装置の構造を説明するための概略断面図であり、暖房時に車室内の空調を優先する場合の形態である。本実施形態に係る車両用空調装置１００は、暖房用装置として用いる場合では、熱交換器はヒーターコア４であり、蓄熱材は暖かい熱を蓄える蓄温材１２である。
【００４６】
車室内の空調を優先するときは、可変ガイド４２を第１通気流路６ｅを開、第２通気流路６ｇを閉となる位置に移動する。車室内の空調を優先するときは、例えば、車室内が冷えている時、乗員が早期の暖房を要求しているフルホット時である。ヒーターコア４を通過した空気流れ２５は、第１通気流路６ｅだけを通過する。その後、例えば、フット（不図示）へ通じる通気流路８０３へ送られ、車室内のフット（不図示）から送風される。送風空気が蓄温材１２を通過すると、ヒーターコア４で得た暖かい空気の熱が、蓄温材１２に貯留され、早期暖房が阻害されるところ、送風空気が、蓄温材１２が配置されていない第１通気流路６ｅだけを通過することで、効率的に早期暖房をすることができる。また、低騒音とすることができる。
【００４７】
図６は、車両用空調装置の構造を説明するための概略断面図であり、暖房時に蓄温材に蓄温した熱を放熱する場合の形態である。蓄温材１２の熱を放熱するときは、可変ガイド４２を、第１通気流路６ｅを閉、第２通気流路６ｇを開となる位置に移動する。蓄温材１２の熱を放熱するときは、例えば、ウォーターポンプ（不図示）が停止してヒーターコア４へ熱媒体が循環せず、車室内の空調が快適性を維持できない場合である。ヒーターコア４を通過した空気流れ２５は、蓄温材１２が配置された第２通気流路６ｇだけを通過する。蓄温材１２を通過した空気流れ２５ａは、例えば、フット（不図示）へ通じる通気流路８０３へ送られ、車室内のフット（不図示）から送風される。ウォーターポンプ（不図示）が停止してヒーターコア４へ熱媒体が循環しなくても、蓄温材１２の熱を放熱させることによって、車室内へ吹き出される空調空気の温度が低下するのを防止し、快適な状態に維持することができる。また、送風空気を蓄温材１２が配置された第２通気流路６ｇだけを通過させることで、送風量が少ないときでも、蓄温材１２に確実に送風することができるため、より効率的に蓄温材１２に蓄熱された暖かい熱を利用することができる。
【００４８】
図７は、車両用空調装置の構造を説明するための概略断面図であり、暖房時に蓄温材に蓄温する場合の形態である。蓄温材１２へ蓄温するときは、可変ガイド４２を、第１通気流路６ｅを開、第２通気流路６ｇを開となる位置に移動する。蓄温材１２へ蓄温するときは、例えば、乗員が早期の暖房を要求していない時であって、車室内の温度と空調の目標吹出温度とが近く、暖房能力に余力があるときである。ヒーターコア４を通過した空気流れ２５は、蓄温材１２が配置されていない第１通気流路６ｅと蓄温材１２が配置された第２通気流路６ｇとの両方を通過する。蓄温材１２を通過した空気流れ２５ａは、蓄温材１２の下流で、第１通気流路６ｅを通過した空気流れ２５と合流する。その後、例えば、フット（不図示）へ通じる通気流路８０３へ送られ、車室内のフット（不図示）から送風される。送風空気を、蓄温材１２を通過しない第１通気流路６ｅと蓄温材１２を通過する第２通気流路６ｇとの両方に通過させることで、車室内の温度調整と蓄温材１２への蓄温とを同時に行うことができる。
【００４９】
第１通気流路６ｅは、通気流路のうち中央部を通るメイン流路とし、第２通気流路６ｆ，６ｇは、通気流路のうち中央部を避けたサブ流路とすることがより好ましい。このように第１通気流路６ｅと第２通気流路６ｆ，６ｇとを形成することで、フルクール時又はフルホット時に送風量が多い場合でも、送風空気が抵抗を受けることなく流れることができ、かつ、蓄熱材１１，１２に接触しないため、低騒音とすることができる。また、蓄熱材１１，１２をデットスペースに配置することが可能となり、従来の車両用空調装置の構造を大きく逸脱せずに適用することができる。
【００５０】
以上のように、本実施形態に係る車両用空調装置は、送風空気を蓄熱材１１，１２に通過させるか否かを可変ガイド４１，４２の位置によって行うことで、車室内の温度調整を優先したいときは温度調整を阻害しないとともに、蓄熱できるときに蓄熱して放熱が必要なときに向けて備え、蓄冷又は蓄温した熱の放熱が必要なときには、確実に放熱できる構成を有する。
【００５１】
図１〜７では、可変ガイド４１，４２が、板ドア型の形態を例示しているが、本実施形態では、例えば、図８及び図９に示すロータリドア型の形態とすることができる。図８は、ロータリドア型の可変ガイドを説明するための図であり、（ａ）は構成物品ごとの分解図を示し、（ｂ）は組み立てた状態を示す図を示す。図８に示すように、通風ガイド５０は、略半円筒状であり、通気流路の下流側でケース９の内壁から上方に延びる出口側通風ガイド壁５２と、通気流路の上流側に形成される通風入口５３と通気流路の下流側に形成される通風出口５４と、通風入口５３と通風出口５４との間に形成された入口側通風ガイド壁５１と、を有する。ケース９には、蓄熱材１３を着脱するための図示しない開口部が設けられており、蓄熱材１３は、ケース９の内壁面上で、かつ、通風ガイド５０と可変ガイド６０との内側に配置される。蓄熱材１３は、蓄冷材又は蓄温材のいずれであってもよい。可変ガイド６０は、略半円筒状であり、回動軸６３を中心として通風ガイド５０の外周に沿って回動可能に配置され、かつ、通風ガイド５０の通風入口５３と通風出口５４とを同時に開閉できる位置に常に一定の間隔を開けて連動する第一のドア壁６１と第二のドア壁６２とを有する。蓄熱材１３は、スペースを有効に利用して蓄熱能力を増加させることができる点で、略半円筒状であることが好ましい。
【００５２】
図９は、ロータリドア型の可変ガイドの構造を説明するための図であり、（ａ）は車室内の空調を優先する場合の開閉状態、（ｂ）は蓄熱材に蓄熱した熱を放熱する場合の開閉状態、（ｃ）は蓄熱材に蓄熱する場合の開閉状態である。図９では、ケース９の内壁に固定された熱交換器８０の下流に、蓄熱材１３が配置されている。蓄熱材１３は、通風ガイド５０と可変ガイド６０との内側に配置されている。ここで、熱交換器８０は、エバポレータ又はヒーターコアのいずれであってもよい。熱交換器８０上下方向の面のうち、ケース９の内壁に固定されていない側の面上からは、下流側の下方に向かって延びる庇部８１が設けられている。庇部８１は、図９（ｂ）のように蓄熱材１３に蓄熱した熱を放熱する場合において、可変ガイド６０が全開の位置になるとき、第一のドア壁６１のストッパー部６１ａを係止する。これによって、熱交換器８０を通過した空気流れ７０を、確実に蓄熱材１３が配置された通気流路だけを通過させることができる。
【００５３】
車室内の空調を優先するときは、図９（ａ）のように、可変ガイド６０の第一のドア壁６１と第二のドア壁６２とを、通風入口５３と通風出口５４とを閉鎖する位置に移動する。これによって、蓄熱材１３は、通風ガイド５０の入口側通風ガイド壁５１及び出口側通風ガイド壁５２と可変ガイド６０の第一のドア壁６１及び第二のドア壁６２とによって完全に覆われるため、熱交換器８０を通過した空気流れ７０は、蓄熱材１３を通過しない。すなわち、熱交換器８０を通過して空気流れ７０は、蓄熱材１３が配置されていない第１通気流路だけを通過する。空気流れ７０が、蓄熱材１３を通過しないことで、効率的に早期に空調を調整することができる。
【００５４】
蓄熱材に蓄熱した熱を放熱するときは、図９（ｂ）のように、可変ガイド６０の第一のドア壁６１と第二のドア壁６２とを、通風入口５３と通風出口５４とを全開にする位置に移動する。これによって、熱交換器８０を通過した空気流れ７０は、通風入口５３から入り、蓄熱材１３を経由して、通風出口５４から出てくる。すなわち、蓄熱材１３が配置されている第２通気流路だけを通過する。これによって、送風量が少ないときでも、蓄熱材１３に確実に送風することができるため、より効率的に蓄熱材１３に蓄熱された熱を利用することができる。
【００５５】
蓄熱材に蓄熱するときは、図９（ｃ）のように、可変ガイド６０の第一のドア壁６１と第二のドア壁６２とを、通風入口５３と通風出口５４とを一部開放し、一部閉鎖する位置に移動する。これによって、熱交換器８０を通過した空気流れ７０は、蓄熱材１３を通過しない空気流れ７０と第１の通気流路と通風入口５３から入り、蓄熱材１３を経由して、通風出口５４から出てくる空気流れ７０ａとに分岐する。すなわち、蓄熱材１３を通過しない第１の通気流路と蓄熱材１３を通過する第２の通気流路との両方を通過する。これによって、車室内の温度調整と蓄熱材１３の蓄熱とを同時に行うことができる。
【００５６】
なお、図８及び図９において、可変ガイド６０は、通風ガイド５０の外周に沿って回動可能に配置されているが、本実施形態ではこれに限定されず、可変ガイド６０が、通風ガイド５０の内周に沿って回動可能に配置されてもよい。
【００５７】
次に、本実施形態に係る車両用空調装置１００の制御法について説明する。
【００５８】
本実施形態に係る車両用空調装置では、可変ガイド４１，４２の切り換えは、ブロワ１の稼動又は停止の情報と熱交換器３，４へ熱媒体を循環させる補機（不図示）の稼動又は停止の情報とに基づいて位置を制御する制御手段（不図示）によって行われることが好ましい。ここで、冷房装置の場合は、熱交換器はエバポレータ３であり、補機は気化状態の冷媒を圧縮して吐出して、エバポレータ３へ冷媒を循環させるコンプレッサ（不図示）である。暖房装置の場合は、熱交換器はヒーターコア４であり、補機はエンジン冷却水をヒーターコア４へ循環させるウォーターポンプ（不図示）である。
【００５９】
本実施形態に係る車両用空調装置１００では、制御手段は、車室内の空調を優先するときは、可変ガイド４１，４２へ第１通気流路６ｅを開、第２通気流路６ｆ，６ｇを閉とする信号を出力することが好ましい。熱交換器で得た温風又は冷風が、蓄冷材１１又は蓄温材１２を通過しないため、効率的に温度調整をすることができる。また、低騒音とすることができる。
【００６０】
本実施形態に係る車両用空調装置では、前記制御手段は、ブロワ１が稼動状態であるとの情報及び熱交換器へ熱媒体を循環させる補機（不図示）が停止状態であるとの情報が入力されたときは、可変ガイド４１，４２へ第１通気流路６ｅを閉、第２通気流路６ｆ，６ｇを開とする信号を出力することが好ましい。熱交換器へ熱媒体を循環させる補機（不図示）が停止し、エバポレータ３又はヒーターコア４への熱媒体の供給が停止しても、蓄冷材１１又は蓄温材１２に蓄熱された熱を有効に利用して車室内の快適性を維持することができる。また、送風量が少ないときでも、蓄冷材１１又は蓄温材１２に確実に送風することができるため、より効率的に蓄冷材１１又は蓄温材１２に蓄熱された熱を利用することができる。
【００６１】
本実施形態に係る車両用空調装置では、制御手段は、蓄冷又は蓄温するときは、可変ガイド４１，４２へ第１通気流路６ｅを開、第２通気流路６ｆ，６ｇと開とする信号を出力することが好ましい。通気流路を、蓄冷材１１又は蓄温材１２を通過する第２通気流路６ｆ，６ｇと蓄熱材を通過しない第１通気流路６ｅとの両方とすることで、蓄熱と温度調整とを同時に行うことができ、空調効率を向上させることができる。
【００６２】
図１０を用いて、本実施形態に係る車両用空調装置１００の制御法のフローについて説明する。図１０は、車両用空調装置の制御法の一例を示したフローチャートである。まず、空調装置の稼動又は停止の情報をブロワ１のファンの回転によって判断する（ステップＳ１０１）。ブロワ１のファンの回転は、例えば、駆動モータ（不図示）へ供給される電圧によって判断することができる。ファンが回転していない場合は、乗員は空調を必要としていないため、可変ガイド４１，４２を、第１通気流路６ｅを開、第２通気流路６ｆ，６ｇを閉とする信号を出力し、ステップＳ１０１に戻る。前記信号を入力した可変ガイド制御手段（不図示）は、可変ガイド駆動装置を駆動させて可変ガイド４１，４２を、第１通気流路６ｅを開、第２通気流路６ｆ，６ｇを閉となる位置に移動させる。ブロワ１が停止しているため、空気は送風されず、意図的に車室内に吹き出される空気は無いが、車両走行に伴うラム圧と呼ばれる空気圧などによって空気流が発生する場合があり、可変ガイドをこのように位置させれば、蓄冷材１１又は蓄熱材１２に蓄冷又は蓄温された熱の放出を防止することができる。
【００６３】
ファンが回転している場合は、車室内温度と目標吹出温度とを対比し、冷房側モードか暖房側モードかを判断する（ステップＳ１０２）。車室内温度が目標吹出温度よりも高い場合は冷房側モードであり、車室内を暖めない状態であるため、次いで、コンプレッサのスイッチがオンされているかを判断する（ステップＳ１０３）。コンプレッサのスイッチは空調装置の操作パネルで、例えば「Ａ／Ｃ」などと表示されるもので、スイッチがオフである場合は、乗員は冷房を望んでいない状態である。この場合には、可変ガイド４１を第１通気流路６ｅを開、第２通気流路６ｆを閉とする信号を出力し（ステップＳ３０３）、ステップＳ１０１に戻る。前記信号を入力した可変ガイド制御手段（不図示）は、可変ガイド駆動装置を駆動させて可変ガイド４１を、第１通気流路６ｅを開、第２通気流路６ｆを閉となる位置に移動させる。そして、送風空気は、第１通気流路６ｅだけを通過する。これにより、送風空気が蓄冷材１１に接触しないため、騒音の発生を防止することができる。また、コンプレッサのスイッチがオフである場合は、冷凍サイクルが停止しており、送風空気が冷却されていない状態である。よって、十分に冷やされていない空気が蓄冷材１１を通過することを防止し、蓄冷材１１に蓄冷された熱の不測の損失を防止することができる。
【００６４】
コンプレッサのスイッチがオンである場合は、車室内の冷房が必要な状態であるため、コンプレッサが稼動しているか否かを判断する（ステップＳ１０４）。スイッチがオンされているにも関わらずアイドリング停止によりコンプレッサが稼動していない場合は、エバポレータ３に冷媒が循環されていない状態であるため、蓄冷材１１の放冷が必要となる。したがって、可変ガイドを第１通気流路６ｅを閉、第２通気流路６ｆを開とする信号を出力する（ステップＳ３０１）。前記信号を入力した可変ガイド制御手段（不図示）は、可変ガイド駆動装置を駆動させて可変ガイド４１を、第１通気流路６ｅを閉、第２通気流路６ｆを開となる位置に移動させる。そして、送風空気は、第２通気流路６ｆだけを通過する。これにより、蓄冷材１１に蓄冷された熱を効率的に利用して、車室内の温度上昇を防止することができる。また、送風量が少ないときでも、蓄冷材１１に確実に送風することができる。その後、ステップＳ１０１に戻る。
【００６５】
コンプレッサが稼動している場合には、冷凍サイクルが稼動している状態である。次いで、ブロワ１のファンの回転速度がミディアム・ハイ（Ｍ／Ｈ）以上であるか否かを判断する（ステップＳ１０５）。ここで、ミディアム・ハイと（Ｍ／Ｈ）は、比較的大風量の状態をいう。ミディアム・ハイ（Ｍ／Ｈ）以上ではない場合は、乗員は早急な冷房を要求していないため蓄冷が可能な状態である。したがって、可変ガイド４１を第１通気流路６ｅを開、第２通気流路６ｆを開とする信号を出力する（ステップＳ３０２）。前記信号を入力した可変ガイド制御手段（不図示）は、可変ガイド駆動装置を駆動させて可変ガイド４１を、第１通気流路６ｅを開、第２通気流路６ｆを開となる位置に移動させる。そして、送風空気は、第１通気流路６ｅ及び第２通気流路６ｆの両方を通過する。これにより、車室内の温度調整と蓄冷材１１の蓄冷とを同時に行うことができ、放冷が必要な時に向けて備えることができる。その後、ステップＳ１０１に戻る。
【００６６】
ブロワ１のファンの回転速度がミディアム・ハイ（Ｍ／Ｈ）以上である場合は、車室内の空調を優先するとき、すなわち、乗員が早急な冷房を要求している状態である。したがって、可変ガイド４１を第１通気流路６ｅを開、第２通気流路６ｆを閉とする信号を出力する（ステップＳ３０３）。前記信号を入力した可変ガイド制御手段（不図示）は、可変ガイド駆動装置を駆動させて可変ガイド４１を、第１通気流路６ｅを開、第２通気流路６ｆを閉となる位置に移動させる。そして、送風空気は、第１通気流路６ｅだけを通過する。これにより、送風空気が蓄冷材１１を通過しないため、エバポレータ３で冷却された冷風の熱を効率的に冷房に利用でき、車室内を早期に冷やすことができる。また、送風空気が蓄冷材１１に接触しないため、騒音の発生を防止することができる。その後、ステップＳ１０１に戻る。
【００６７】
なお、コンプレッサのスイッチが無く、乗員による温度設定値や車室内温度などにより自動的にコンプレッサのオン・オフを制御するような空調装置の場合は、ステップＳ１０３をスキップし、ステップＳ１０４へと移る。
【００６８】
車室内温度が目標吹出温度よりも低い場合は暖房側モードであり、車室内の暖房が必要な状態であるため、次いで、ヒーターコア４に循環する液状熱媒体である温水の温度が所定温度より高いか否かを判断する（ステップＳ２０１）。ヒーターコア４に循環する液状熱媒体の温度は、例えば、ヒーターコアに設けた温度センサによって検知することができる。液状熱媒体の温度が所定温度より低い場合は、蓄熱能力がない状態であり、可変ガイド４１，４２を第１通気流路６ｅを開、第２通気流路６ｇを閉とする信号を出力し（ステップＳ３０３）、ステップＳ１０１に戻る。前記信号を入力した可変ガイド制御手段（不図示）は、可変ガイド駆動装置を駆動させて可変ガイド４２を、第１通気流路６ｅを開、第２通気流路６ｇを閉となる位置に移動させる。そして、送風空気は、第１通気流路６ｅだけを通過する。これにより、十分に暖められていない空気が蓄温材１２を通過することがないため、蓄温材１２に蓄温された熱の不測の損失を防止することができる。また、送風空気が蓄温材１２に接触しないため、騒音の発生を防止することができる。
【００６９】
液状熱媒体の温度が所定温度より高い場合は、ヒーターコア４を通過する空気が十分に暖められ、蓄熱能力がある状態である。次いで、ウォーターポンプ（不図示）が稼動しているか否かを判断する（ステップＳ２０２）。アイドリング停止によりウォーターポンプが稼動していない場合は、ヒーターコア４に液状熱媒体が循環していない状態であるため、蓄温材１２の放熱が必要となる。したがって、可変ガイド４２を第１通気流路６ｅを閉、第２通気流路６ｇを開とする信号を出力する（ステップＳ３０１）。前記信号を入力した可変ガイド制御手段（不図示）は、可変ガイド駆動装置を駆動させて可変ガイド４２を、第１通気流路６ｅを閉、第２通気流路６ｇを開となる位置に移動させる。そして、送風空気は、第２通気流路６ｇだけを通過する。これにより、蓄温材１２に蓄温された熱を効率的に利用して、車室内の温度低下を防止することができる。また、送風量が少ないときでも、蓄温材１２に確実に送風することができる。その後、ステップＳ１０１に戻る。
【００７０】
ウォーターポンプが稼動している場合には、液状熱媒体がヒーターコア４に循環している状態である。次いで、ブロワ１のファンの回転速度がミディアム・ハイ（Ｍ／Ｈ）以上であるか否かを判断する（ステップＳ２０３）。ここで、ミディアム・ハイと（Ｍ／Ｈ）は、比較的大風量の状態をいう。ミディアム・ハイ（Ｍ／Ｈ）以上ではない場合は、乗員は早急な暖房を要求していないため蓄温が可能な状態である。したがって、可変ガイド４２を第１通気流路６ｅを開、第２通気流路６ｇを開とする信号を出力する（ステップＳ３０２）。前記信号を入力した可変ガイド制御手段（不図示）は、可変ガイド駆動装置を駆動させて可変ガイド４２を、第１通気流路６ｅを開、第２通気流路６ｇを開となる位置に移動させる。そして、送風空気は、第１通気流路６ｅ及び第２通気流路６ｇの両方を通過する。これにより、車室内の温度調整と蓄温材１２の蓄温とを同時に行うことができ、放熱が必要な時に向けて備えることができる。その後、ステップＳ１０１に戻る。
【００７１】
ブロワ１のファンの回転速度がミディアム・ハイ（Ｍ／Ｈ）以上である場合は、車室内の空調を優先するとき、すなわち、乗員が早急な暖房を要求している状態である。したがって、可変ガイド４２を第１通気流路６ｅを開、第２通気流路６ｇを閉とする信号を出力する（ステップＳ３０３）。前記信号を入力した可変ガイド制御手段（不図示）は、可変ガイド駆動装置を駆動させて可変ガイド４２を、第１通気流路６ｅを開、第２通気流路６ｇを閉となる位置に移動させる。そして、送風空気は、第１通気流路６ｅだけを通過する。これにより、送風空気が蓄温材１２を通過しないため、ヒーターコア４で暖められた温風の熱を効率的に暖房に利用でき、車室内を早期に暖めることができる。また、送風空気が蓄温材１２に接触しないため、騒音の発生を防止することができる。その後、ステップＳ１０１に戻る。
【００７２】
以上のように、本実施形態に係る車両用空調装置１００は、車室内の温度調整を優先したいときは温度調整を阻害しないとともに、蓄熱できるときに蓄熱して放熱が必要なときに向けて備え、蓄冷又は蓄温した熱を放冷又は放熱するときには、確実に放冷又は放熱できる構成を有するため、特に、アイドリングストップ車又はハイブリッド車の車両用空調装置に好適である。アイドリングストップ車では、エンジンが停止すると、コンプレッサ、ウォーターポンプなどの熱交換器へ熱媒体を循環させる補機も停止する。結果として、空調装置の送風空気の温度が変化し始め、快適性が著しく低下してしまう。そこで、蓄熱材１１，１２の熱を放熱させることによって、車室内の空調温度を快適な状態に維持することができる。なお、ハイブリッド車では、エンジンが停止しても、電力によってコンプレッサ、ウォーターポンプなどの熱交換器へ熱媒体を循環させる補機を稼動することはできるが、本実施形態の車両用空調装置を適用することで、空調のための電力供給を停止することができるため、使用電気量を減少することができる。また、エンジン停止中の補機の駆動停止時間を長くできるため、振動や騒音の低減ができる。
【００７３】
図１０のフローチャートでは、ステップＳ１０４又はステップＳ２０２においてコンプレッサ又はウォーターポンプの稼動状態によって放冷又は放熱が必要か否かを判断したが、アンドリングストップ車などのガソリン車では、エンジンの稼動状態に基づいて、放冷又は放熱が必要か否かを判断してもよい。例えば、エンジンが停止している場合には、放冷又は放熱が必要であると判断し、可変ガイド４１，４２を第１通気流路６ｅを閉、第２通気流路６ｆ，６ｇを開とする信号を出力する（ステップＳ３０１）。
【００７４】
ハイブリッド車では、通常、車両が停止してエンジンが停止すると、電動モータが稼動してコンプレッサ又はウォーターポンプを稼動させるが、本実施形態では、車両が停止してエンジンが停止した場合は、蓄冷材１１又は蓄温材１２の温度を測定する温度検知素子からの温度情報に基づいて、コンプレッサ又はウォーターポンプの稼動又は停止を制御することが好ましい。例えば、冷房運転時について説明すると、蓄冷材１１の温度が所定温度より低い場合には、蓄冷材１１が十分に蓄冷されて放冷が可能な状態であるため、コンプレッサを停止させる信号を出力する。そして、ステップＳ１０４においてコンプレッサが稼動していないと判断し、可変ガイド４１，４２を第１通気流路６ｅを閉、第２通気流路６ｆ，６ｇを開とする信号を出力する（ステップＳ３０１）。一方、蓄冷材１１の温度が所定温度より高い場合には、蓄冷が不足している状態であるため、コンプレッサを電動で稼動させる信号を出力する。そして、ステップＳ１０４においてコンプレッサが稼動していると判断し、その後ステップＳ１０５へ進む。これにより、車室内の温度を快適に維持しつつ、使用電気量を削減することができる。結果として燃費をより向上することができる。暖房運転時においても同様に、蓄温材１２の温度が所定温度より高い場合には、ウォーターポンプを停止させる信号を出力し、蓄温材１２の温度が所定温度より低い場合には、ウォーターポンプを稼動させる信号を出力する。
【００７５】
ステップＳ２０２において、液状熱媒体を温水としたがこれに限定されず、例えば、オイルであってもよい。また、ヒーターコア４に循環する液状熱媒体の温度を検知する方法として、ヒーターコアに設けた温度センサを例示したが、これに限定されない。
【符号の説明】
【００７６】
１００  車両用空調装置
１  ブロワ
２  フィルタ
３，４  熱交換器
３  エバポレータ
４  ヒーターコア
６ａ，６ｂ，６ｃ，６ｄ，６ｅ，８０１，８０２，８０３  送風空気の通気流路
６ｅ  第１通気流路
６ｆ，６ｇ  第２通気流路
９  ケース
１１，１２  蓄熱材
１１  蓄冷材
１２  蓄温材
１３  蓄熱材
２１，２２，２３，２４，２４ａ，２５，２５ａ  空気流れ
４０  ミックスドア
４１，４２  可変ガイド
４３，４４，４５  モードドア
５０  通風ガイド
５１  入口側通風ガイド壁
５２  出口側通風ガイド壁
５３  通風入口
５４  通風出口
６０  可変ガイド
６１  第一のドア壁
６１ａ  ストッパー
６２  第二のドア壁
６３  回動軸
７０，７０ａ  空気流れ
８０  熱交換器
８１  庇部  
【図１】
2011142224.tif 000003
【図２】
2011142224.tif 000004
【図３】
2011142224.tif 000005
【図４】
2011142224.tif 000006
【図５】
2011142224.tif 000007
【図６】
2011142224.tif 000008
【図７】
2011142224.tif 000009
【図８】
2011142224.tif 000010
【図９】
2011142224.tif 000011
【図１０】
2011142224.tif 000012
【国際調査報告】
2011142224.tif 000013
2011142224.tif 000014
2011142224.tif 000015
2011142224.tif 000016